(57)【要約】【課題】光反射シートの一部が破損しても、光反射機能を大きく損なうことがなく、長期使用できる反射式垂れベルトを得る。【解決手段】光反射シート３の裏側にシート４、５、３が重ね合わされており、上記光反射シート３と上記シート４、５、３とが部分的に固着された反射式垂れベルトにおいて、上記光反射シート３と上記シート４、５、３との固着部１ａ、１ｂによって、全体が複数の水密区画２に分割されたことを特徴とする反射式垂れベルト１とした。この反射式垂れベルト１は、光反射シート３の何処かに破損が生じても、雨水が浸入するのはその破損がある水密区画２だけとなるので、使用期間を大幅に延ばすことができる。【選択図】図２
2005195800.tif 000002
【特許請求の範囲】
【請求項１】
光反射シートの裏側にシートが重ね合わされており、上記光反射シートと上記シートとが部分的に固着された反射式垂れベルトにおいて、上記光反射シートと上記シートとの固着部によって、全体が複数の水密区画に分割されたことを特徴とする反射式垂れベルト。
【請求項２】
上記光反射シートと上記シートとの固着部が、溶着によって形成されたことを特徴とする請求項１記載の反射式垂れベルト。
【発明の詳細な説明】
【技術分野】
【０００１】
この発明は、特に、踏切遮断桿に取り付けるのに好適な反射式垂れベルトに関する。
【背景技術】
【０００２】
従来から、夜間、踏切に近づくドライバーが踏切遮断桿の位置を把握し易いようにするため、図６に示すように、車のヘッドライト光を反射する反射式垂れベルト１１を踏切遮断桿に沿って張り渡したロープＬに取り付けることが行われている。
【０００３】
反射式垂れベルト１１は、図７に示すように矩形光反射シート１２の裏側にホワイトシート１３、透明シート１４、矩形光反射シート１２が重ねられ、各シート同士の全周縁を溶着することによってベルト状に形成されたものであり、図８に示すように、フック２１をロープＬに跨がせ、垂れベルト１１の一端部に形成されたフック挿通部１５に、フック２１のベルト吊下げ部２２を通し、フック２１を閉じることによって踏切遮断桿に取り付けられる。
【発明の開示】
【発明が解決しようとする課題】
【０００４】
ところで、反射式垂れベルト１１は、風光によって劣化が進み、自動車との接触などで頻繁に擦られるので、やがて光反射シート１２の一部に穴や亀裂などの破損を生じることがある。
【０００５】
しかしながら、反射式垂れベルト１１は全周縁のみが溶着された構造なので、光反射シート１２とホワイトシート１３および透明シート１４との間に僅かな隙間が存在する。このため、光反射シート１２の一部が破損すると、そこから雨水が反射式垂れベルト１１内部に浸入し、上記隙間に拡がってしまう。このような状態になると、反射式垂れベルト１１は、内部に侵入した雨水によって入射光が乱反射されるので、光反射機能を著しく損なってしまう。
【０００６】
このため、反射式垂れベルト１１には、光反射シート１２の一部に破損が生じただけで交換を迫られるという問題があった。
【０００７】
そこで、この発明の課題は、光反射シートの一部が破損しても、光反射機能を大きく損なうことがなく、長期間使用できる反射式垂れベルトを得ることにある。
【課題を解決するための手段】
【０００８】
上記の課題を解決するため、この発明は、光反射シートの裏側にシートが重ね合わされており、上記光反射シートと上記シートとが部分的に固着された反射式垂れベルトにおいて、上記光反射シートと上記シートとの固着部によって、全体が複数の水密区画に分割されたことを特徴とする反射式垂れベルトとしたのである。
【０００９】
この構成によれば、反射式垂れベルトは、光反射シートの何処かが破損しても、上記光反射シートと上記シートとの固着部によって、全体が複数の水密区画に分割されているため、浸水するのはその破損がある水密区画だけとなり、大きく光反射機能を損なうことがない。
【発明の効果】
【００１０】
このため、この発明の反射式垂れベルトは、光反射シートの一部が破損した程度では交換の必要がなく、使用期間を大幅に延ばすことができる。
【発明を実施するための最良の形態】
【００１１】
以下、この発明の反射式垂れベルトの最良の実施形態を図面に基づき説明する。図１に全体を示した反射式垂れベルト１は、図２、図３に示すように、表側の光反射シート３の裏側にホワイトシート４、透明シート５および裏側の光反射シート３が重ね合わされており、全体が長さ方向に一定間隔で複数の水密区画２に分割されている。
【００１２】
光反射シート３は、外部から入射した光を樹脂シートに形成された光反射層によって反射するものであり、矩形シート状に形成されている。光反射シート３の平面形状は、垂れベルトの平面形状に応じて決定するとよい。光反射シート３には、塩化ビニル製の光反射シートを用いることができ、例えば、マイクロプリズムが樹脂シート裏面に形成されたマイクロプリズム式反射シート（例えば、リフレクサイト株式会社製  Ｊ４００）や、ガラスビーズが樹脂シートの表面に接着されたガラスビーズ式反射シートを用いることができる。
【００１３】
ホワイトシート４は、光反射シート３を透過した光を外側に反射し、垂れベルト１の光反射機能を強化する役割を果たすものである。このホワイトシート４には、光反射シート３と同平面形状の白色塩化ビニルシートを用いることができる。なお、光反射シート３のみで所望の光反射機能を得られる場合には、垂れベルト１にホワイトシート４を設ける必要はない。
【００１４】
透明シート５は、反射式垂れベルト１が風などで簡単に踏切遮断桿に巻き付かないように、反射式垂れベルト１の剛性を上げるためのものである。この透明シート５には、光反射シート３と同平面形状の透明塩化ビニルシートを用いることができる。なお、反射式垂れベルト１では、ホワイトシート４を厚くし、透明シート５を省略することもできる。
【００１５】
また、反射式垂れベルト１の一端部には、フック挿通部６が形成されている。フック挿通部６は、ハトメ打ち機を用いてハトメをかしめ止めすることによって形成されている。
【００１６】
この反射式垂れベルト１は、全周溶着部１ａ、長さ方向に一定間隔で設けられた全幅溶着部１ｂ及びハトメ外周溶着部１ｃにおいて、表側の光反射シート３とホワイトシート４、裏側の光反射シート３と透明シート５、ホワイトシート４と透明シート５とを溶着し、各シート同士を固着することによって形成されている。
【００１７】
上記構成の反射式垂れベルト１は、全周溶着部１ａおよび全幅溶着部１ｂとに囲まれた部分が１つの水密区画２となるので、全体が長さ方向に一定間隔で複数の水密区画２に分割された構造となる。
【００１８】
反射式垂れベルト１を複数の水密区画に分割するパターンは、例えば、図４に示した反射式垂れベルト１Ａのように、直交し合う２本の斜線溶着部１ｄで分割するパターンや、図５に示した反射式垂れベルト１Ｂのように幅方向に一定間隔で設けられた縦線溶着部１ｅで分割するパターンでもよい。
【００１９】
なお、反射式垂れベルト１においては、各シート３、４、５同士の固着部によって全体を複数の水密区画２に分割できればよく、上記溶着部１ａ、１ｂ、１ｃを溶着に替えて接着することもできる。さらに、この発明では、１枚の矩形光反射シートをホワイトシートと透明シートとを包むように折り合わせ、上記と同様に溶着することにより反射式垂れベルトを形成することもできる。
【００２０】
以上に述べたように、反射式垂れベルト１は、全体が複数の水密区画２に分割されているので、光反射シート３の何処かに破損が生じても、浸水するのはその破損がある水密区画２だけとなり、大きく光反射機能を損なうことがない。このため、反射式垂れベルト１は、使用期間を大幅に延ばすことができる。
【図面の簡単な説明】
【００２１】
【図１】この発明の最良の実施形態の反射式垂れベルトの全体斜視図。
【図２】図１の反射式垂れベルトを一部破断表示した側面図。
【図３】図１の反射式垂れベルトの幅方向の縦断面図。
【図４】図１の反射式垂れベルトにおいて、溶着パターンの一例を示した正面図。
【図５】図１の反射式垂れベルトにおいて、溶着パターンの別の一例を示した正面図。
【図６】従来の反射式垂れベルトが踏切に取り付けられた様子を示した全体図。
【図７】図６の反射式垂れベルトを一部破断表示した拡大斜視図。
【図８】図６の反射式垂れベルトにフックを挿通する様子を示した側面図。
【符号の説明】
【００２２】
１、１Ａ、１Ｂ  反射式垂れベルト
１ａ  全周溶着部
１ｂ  全幅溶着部
１ｃ  ハトメ外周溶着部
２  水密区画
３  反射シート
４  ホワイトシート
５  透明シート
６  フック挿通部
【図１】
2005195800.tif 000003
【図２】
2005195800.tif 000004
【図３】
2005195800.tif 000005
【図４】
2005195800.tif 000006
【図５】
2005195800.tif 000007
【図６】
2005195800.tif 000008
【図７】
2005195800.tif 000009
【図８】
2005195800.tif 000010